(57)【要約】【課題】記録性能・サーボ（再生）性能の双方の向上と光学系の構成の簡素化・低コスト化の両立を図る。【解決手段】光ピックアップ装置の光学系として、第１のレーザ光とそれと略同一波長を有する第２のレーザ光とを発光可能に構成した上で、上記第１のレーザ光と同一光軸上に上記第２のレーザ光が足し込まれるようにしてそれぞれのレーザ光が対物レンズを介して光記録媒体に照射され、且つ光記録媒体からの第１のレーザ光の反射光のみが受光手段に入射されるように構成する。その上で、上記第１のレーザ光と上記第２のレーザ光の双方を発光させて上記光記録媒体に対する記録を行う。反射光が受光手段に導かれるようにされた第１のレーザ光の受発光系についてはサーボ（再生）用に割り切った簡素な構成とすることができ、同様に第２のレーザ光の光学系についても記録用に割り切った簡素な構成とすることができる。【選択図】図２
2008204550.tif 000002
【特許請求の範囲】
【請求項１】
光記録媒体に対する少なくとも記録を行う記録装置であって、
第１のレーザ光を発光する第１レーザ発光手段と、
上記第１のレーザ光と略同一波長を有する第２のレーザ光を発光する第２レーザ発光手段と、
上記光記録媒体に対するレーザ光の出力端となる対物レンズと、
上記光記録媒体からの反射光を受光する受光手段と、
上記第１のレーザ光と同一光軸上に上記第２のレーザ光が足し込まれるようにして上記第１及び第２のレーザ光が上記対物レンズを介して上記光記録媒体に照射され、且つ上記光記録媒体からの上記第１のレーザ光の反射光のみが上記受光手段に入射されるように構成された光学系と、を備えた光ピックアップを備えると共に、
さらに、上記第１のレーザ光と上記第２のレーザ光の双方を発光させて上記光記録媒体に対する記録が行われるように制御する制御手段を備える、
ことを特徴とする記録装置。
【請求項２】
上記制御手段は、
再生時の制御として、上記第１のレーザ光のみを発光させ、上記受光手段により得られる上記第１のレーザ光の反射光に応じた受光信号に基づき再生動作及びサーボ動作が行われるように制御を行う、
ことを特徴とする請求項１に記載の記録装置。
【請求項３】
さらに、ディスク状とされた上記光記録媒体を回転駆動する回転駆動手段を備えることを特徴とする請求項１に記載の記録装置。
【請求項４】
上記光記録媒体はＢＤ（Blu-ray Disc）であり、上記第１レーザ発光手段及び第２レーザ発光手段は略４０５ｎｍの波長による上記レーザ光を発光するように構成される、
ことを特徴とする請求項１に記載の記録装置。
【請求項５】
光記録媒体に対してレーザ光の受発光を行う光ピックアップ装置であって、
第１のレーザ光を発光する第１レーザ発光手段と、
上記第１のレーザ光と略同一の波長を有する第２のレーザ光を発光する第２レーザ発光手段と、
上記光記録媒体に対するレーザ光の出力端となる対物レンズと、
上記光記録媒体からの反射光を受光する受光手段と、
上記第１のレーザ光と同一光軸上に上記第２のレーザ光が足し込まれるようにして上記第１及び第２のレーザ光が上記対物レンズを介して上記光記録媒体に照射され、且つ上記光記録媒体からの上記第１のレーザ光の反射光のみが上記受光手段に入射されるように構成された光学系と、
を備えることを特徴とする光ピックアップ装置。
【発明の詳細な説明】
【技術分野】
【０００１】
本発明は、光の照射により信号の記録／再生が行われる光記録媒体について少なくとも記録を行う記録装置と、光ピックアップ装置とに関する。
【背景技術】
【０００２】
例えばＣＤ（Compact Disc）、ＤＶＤ（Digital Versatile Disc）、ＢＤ（Blu-ray Disc：登録商標）などの光の照射により信号の記録／再生が行われる光記録媒体について、信号の記録再生を行う記録再生装置が広く普及している。
従来より、このような記録再生装置においては、記録を可能とするための高出力レーザ１本で光学系が構成されるのが一般的である。すなわち、記録時には、このような記録用の高出力レーザを用いて記録パワーによるレーザ光を照射して信号の記録とサーボ動作とを行う。また、再生時には、記録パワーよりも低い所要の再生パワーに切り換えて信号の読み出し及びサーボ動作を行うといったものである。
【０００３】
ここで、記録にあたっては、例えばさらなる高速記録を可能とするなどの目的でパワー効率を優先させた光学設計とするのが望ましい。具体的には、往路光学カップリング効率を上げるといったものである。
一方で、再生・サーボ側にとっては、カップリング効率を落として元パワーをかせいでおくのが望ましい。すなわち、レーザ光の元パワーを高めに設定できれば、その分、レーザの量子ノイズの抑制を図ることができるので、その意味で再生・サーボの面ではカップリング効率は低めに設定することが望ましいものとなる。
【０００４】
なお、関連する従来技術については下記特許文献を挙げることができる。
【特許文献１】特開２００６−９２６５７号公報
【特許文献２】特開２０００−７６６７９号公報
【発明の開示】
【発明が解決しようとする課題】
【０００５】
上記説明から理解されるように、記録性能の向上とサーボ・再生性能の向上を図る上では、カップリング効率についてトレードオフの関係が生じる。具体的には、記録性能の向上を図るためにカップリング効率を高く設定した場合は、サーボ・再生性能の向上が図られず、また逆に、サーボ・再生性能の向上を図るとしてカップリング効率を低めに設定した場合には、記録性能の向上が図られないといったものである。
【０００６】
このように記録／再生（及びサーボ）を共通の１本のレーザを用いた光学系で行う場合には、それぞれの性能向上のためにカップリング効率について相反する条件を満たす必要があり、そのためにシビアな光学設計を強いられることになる。特に、例えばＢＤ等の青紫レーザを用いる光学系など、光学トレランス的に厳しい系ではよりシビアな設計が強いられ、それによって光学系の簡素化や低コスト化が妨げられてしまう。
【課題を解決するための手段】
【０００７】
上記問題点に鑑み、本発明では光記録媒体に対する少なくとも記録を行う記録装置として以下のようにすることとした。
つまり、第１のレーザ光を発光する第１レーザ発光手段と、上記第１のレーザ光と略同一波長を有する第２のレーザ光を発光する第２レーザ発光手段と、上記光記録媒体に対するレーザ光の出力端となる対物レンズと、上記光記録媒体からの反射光を受光する受光手段と、上記第１のレーザ光と同一光軸上に上記第２のレーザ光が足し込まれるようにして上記第１及び第２のレーザ光が上記対物レンズを介して上記光記録媒体に照射され、且つ上記光記録媒体からの上記第１のレーザ光の反射光のみが上記受光手段に入射されるように構成された光学系と、を備えた光ピックアップを備える。
さらに、上記第１のレーザ光と上記第２のレーザ光の双方を発光させて上記光記録媒体に対する記録が行われるように制御する制御手段を備えるようにした。
【０００８】
また、本発明では光記録媒体に対してレーザ光の受発光を行う光ピックアップ装置として以下のように構成することとした。
すなわち、第１のレーザ光を発光する第１レーザ発光手段と、上記第１のレーザ光と略同一の波長を有する第２のレーザ光を発光する第２レーザ発光手段とを備える。
また、上記光記録媒体に対するレーザ光の出力端となる対物レンズと、上記光記録媒体からの反射光を受光する受光手段とを備える。
さらに、上記第１のレーザ光と同一光軸上に上記第２のレーザ光が足し込まれるようにして上記第１及び第２のレーザ光が上記対物レンズを介して上記光記録媒体に照射され、且つ上記光記録媒体からの上記第１のレーザ光の反射光のみが上記受光手段に入射されるように構成された光学系を備えるものである。
【０００９】
上記本発明によれば、受光手段に反射光が導かれるようにして照射される第１のレーザ光と、第２のレーザ光とが足し込まれるようにして光記録媒体に照射される。これによれば、第２のレーザ光を記録用のメインのレーザ光とすることができ、他方の第１のレーザ光については、記録時にサブ的に照射するレーザ光としてパワーの追求を行わずに済むものとできる。パワー追求が必要でなければ、その分、サーボに有利となるような割り切った光学設計とすることができ、第１のレーザ光についての光学系の構成は簡素化することができる。さらに、第２のレーザ光の光学系についても、記録用のみとして割り切った光学設計とすることができるので、非常に簡素な構成とすることができる。
また、上記本発明によれば、第１及び第２のレーザ光の波長が略同一とされることで、双方のレーザ光とも記録に関与することになる。これによれば、一方のみが記録に関与するようにされた場合よりもさらにパワー的に有利にでき、１つのレーザが持つポテンシャル以上のパフォーマンスで記録を行うことができる。
【発明の効果】
【００１０】
このようにして本発明によれば、受光手段に反射光が導かれるようにして照射される第１のレーザと第２のレーザ光とが足し込まれるようにして光記録媒体に照射されることで、第２のレーザ光を記録用のメインのレーザ光とし、他方の第１のレーザ光については、記録時にサブ的に照射するレーザ光としてパワーの追求を行わずに済むものとできる。この結果、第１のレーザ光の光学系については、サーボ（ひいては再生）に有利となるような割り切った光学設計とすることができ、その分構成の簡素化を図ることができ、またそれによる低コスト化を図ることができる。さらに、第２のレーザ光の光学系についても、記録用のみとして割り切った光学設計とすることができるので、非常に簡素な構成とすることができ、低コスト化が図られる。
【００１１】
また、さらに割り切れば、第１のレーザ光については、再生パワーによるレーザ光を照射するように構成することもできる。その場合、第１のレーザ光についてはサーボや再生にとってのみ有利となるような光学設計とすることができので、さらなる構成の簡素化及び低コスト化を図ることができる。
【発明を実施するための最良の形態】
【００１２】
以下、発明を実施するための最良の形態（以下実施の形態とする）について説明していく。
図１は、本発明の記録装置の一実施形態としての記録再生装置の内部構成について示したブロック図である。
実施の形態の記録再生装置は、図示する光ディスクＤとして、ＢＤ（Blu-ray Disc：登録商標）に対応可能に構成される。確認のために述べておくと、このＢＤに対しては、対物レンズの開口数ＮＡ＝０．８５、レーザ波長＝４０５nmという条件で記録再生が行われる。
【００１３】
図１において、光ディスクＤは、記録再生装置に装填されると図示しないターンテーブルに積載され、記録／再生動作時においてスピンドルモータ２によって一定線速度（ＣＬＶ）で回転駆動される。
再生時には、光ピックアップ（光学ヘッド）１によって光ディスクＤ上のトラックに記録されたマーク（ピット）の情報の読出が行われる。
また光ディスクＤが記録可能型のディスクの場合、データ記録時には光ピックアップ１によって光ディスクＤ上のトラックにユーザーデータがフェイズチェンジマークもしくは色素変化マークとして記録される。
なお、光ディスクＤ上には、再生専用の管理情報として例えばディスクの物理情報等がエンボスピット又はウォブリンググルーブによって記録されるが、これらの情報の読出もピックアップ１によって行われる。さらに記録可能型の光ディスクＤに対しては、光ピックアップ１によって光ディスクＤ上のグルーブトラックのウォブリングとして埋め込まれたＡＤＩＰ情報の読み出しもおこなわれる。
【００１４】
光ピックアップ１内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系等が形成される。
この光ピックアップ１内において、上記対物レンズは、図示されない２軸機構によってトラッキング方向及びフォーカス方向に移動可能に保持されている。また光ピックアップ１全体はスレッド機構３によりディスク半径方向に移動可能とされている。
また、光ディスクＤとしてＢＤに対応可能とされていることで、この場合の光ピックアップ１内には、球面収差を補正するための球面収差補正機構も備えられる。この球面収差補正機構は、図中のＳＡ（球面収差）補正ドライバ１４によって駆動され、これによって球面収差が補正される。
【００１５】
ここで、本実施の形態の場合、光ピックアップ１においては、記録／再生のためのレーザダイオードとして、２つのレーザダイオードが設けられる。そのため、本例の記録再生装置内には、図示するようにして第１レーザドライバ９と第２レーザドライバ１９とが備えられ、各レーザダイオードを駆動制御するようにされている。
なお、本実施の形態の場合の光ピックアップ１の内部構成については後述する。
【００１６】
光ディスクＤからの反射光情報はフォトディテクタ（後述する受光部２９）によって検出され、その受光光量に応じた電気信号がマトリクス回路４に供給される。
マトリクス回路４には、上記フォトディテクタとしての複数の受光素子からの出力電流に対応して電流電圧変換回路、マトリクス演算／増幅回路等を備え、マトリクス演算処理により必要な信号を生成する。
例えば再生データに相当する再生データ信号（再生ＲＦ信号）、サーボ制御のためのフォーカスエラー信号ＦＥ、トラッキングエラー信号ＴＥなどを生成する。
さらに、グルーブのウォブリングに係る信号、即ちウォブリングを検出する信号としてプッシュプル信号ＰＰを生成する。
【００１７】
マトリクス回路４から出力される再生データ信号（ＲＦ）はデータ信号処理回路５に供給される。また、フォーカスエラー信号ＦＥ及びトラッキングエラー信号ＴＥはサーボ回路１１に供給され、プッシュプル信号ＰＰはウォブル信号処理回路６へ供給される。
【００１８】
データ信号処理回路５は、再生データ信号の２値化処理を行う。また、ＰＬＬ処理を行って再生クロックを生成する。さらには、上記２値化処理後の２値データ列から同期信号を検出する処理なども行う。
データ信号処理回路５において、上記２値化処理により得られた２値データ列は後段の再生処理部７に対して供給される。また、生成された上記再生クロックは、図示は省略したが各部の動作クロックとして供給される。また検出された同期信号は再生処理部７に対して供給される。
【００１９】
再生処理部７は、上記２値データ列についての復調処理を行う。即ち、再生データの復調、デインターリーブ、ＥＣＣデコード、アドレスデコード等の各種復調処理を行う。
再生時においては、上記データ信号処理回路５で復号された２値データ列、及び同期信号に基づく復調タイミングで示されるタイミングで、上記２値データ列に対する復調処理を行い、再生データを得る。再生処理部７で再生データにまでデコードされたデータは、ホストインタフェース８に転送され、システムコントローラ１０の指示に基づいてホスト機器１００に転送される。ホスト機器１００とは、例えばコンピュータ装置やＡＶ（Audio Visual）システム機器などである。
また、デコードされたアドレスデータは、システムコントローラ１０に対して供給される。
【００２０】
ここで、光ディスクＤが記録可能型ディスクである場合、その記録時には、上記ホスト機器１００から記録データが転送されてくるが、この記録データはホストインターフェース８を介して記録処理部１７に供給される。
記録処理部１７は、記録データのエンコード処理として、エラー訂正コード付加（ＥＣＣエンコード）やインターリーブ、サブコードの付加等を行う。また、これらの処理を施したデータに対してＲＬＬ（１−７）ＰＰ変調などの所定の変調を施す。
【００２１】
記録処理部１７で処理された記録データは、ライトストラテジ部１８において、記録補償処理として、記録層の特性、レーザ光のスポット形状、記録線速度等に対する最適記録パワーの微調整やレーザドライブパルス波形の調整などが行われた状態のレーザ駆動パルス信号とされ、第２レーザドライバ１９に供給される。この記録時におけるレーザ駆動パルス信号波形はシステムコントローラ１０の指示に基づいて調整される。
【００２２】
第２レーザドライバ１９は、記録補償処理したレーザ駆動パルス信号を光ピックアップ１内の後述する第２レーザ部２２におけるレーザダイオード２４に与えてレーザ発光駆動を実行させる。これにより光ディスクＤに記録データに応じたマークが形成されることになる。
なお、第２レーザドライバ１９は、いわゆるＡＰＣ回路（Auto Power Control）を備え、光ピックアップ１内に設けられたレーザパワーのモニタ用ディテクタ（後述するフロントモニタ２７）の出力によりレーザ出力パワーをモニターしながらレーザ出力が温度などによらず一定になるように制御する。記録時のレーザ出力の目標値はシステムコントローラ１０から与えられ、記録時にはそれぞれレーザ出力レベルが、その目標値になるように制御する。なお、図１ではこのようなＡＰＣの系については図示を省略している。
【００２３】
また、この場合、レーザドライバとしては、上記第２レーザドライバ１９と共に第１レーザドライバ９も備えられる。この第１レーザドライバ９は、システムコントローラ１０からの指示に基づき、記録／再生時で共に、光ピックアップ１内の後述する第１レーザ部２１におけるレーザダイオード２３が発光されるようにレーザ駆動制御を行う。
【００２４】
また、光ディスクＤが記録可能型ディスクである場合、光ディスクＤには、ウォブリンググルーブによってディスクの物理情報などの管理情報やＡＤＩＰ情報などが記録されている。
ウォブル信号処理回路６は、システムコントローラ１０からの指示に基づき、上述したマトリクス回路４より供給されるプッシュプル信号ＰＰからこのように光ディスクＤのウォブリンググルーブによって記録された情報を検出し、これをシステムコントローラ１０に対して供給する。
【００２５】
サーボ回路１１は、上述したマトリクス回路４からのフォーカスエラー信号ＦＥ、トラッキングエラー信号ＴＥから、フォーカス、トラッキング、スレッドの各種サーボドライブ信号を生成しサーボ動作を実行させる。
即ちフォーカスエラー信号ＦＥ、トラッキングエラー信号ＴＥに応じてフォーカスドライブ信号ＦＤ、トラッキングドライブ信号ＴＤを生成し、光ピックアップ１内の２軸機構のフォーカスコイル、トラッキングコイルを駆動することになる。これによって光ピックアップ１、マトリクス回路４、サーボ回路１１、２軸機構によるトラッキングサーボループ及びフォーカスサーボループが形成される。
またサーボ回路１１は、システムコントローラ１０からのトラックジャンプ指令に応じて、トラッキングサーボループをオフとし、ジャンプドライブ信号を出力することで、トラックジャンプ動作を実行させる。
【００２６】
またサーボ回路１１は、トラッキングエラー信号ＴＥの低域成分として得られるスレッドエラー信号や、システムコントローラ１０からのアクセス実行制御などに基づいてスレッドドライブ信号ＳＤを生成し、これによりスレッド機構３を駆動する。スレッド機構３には、図示しないが、光ピックアップ１を保持するメインシャフト、スレッドモータ、伝達ギア等による機構を有し、スレッドドライブ信号に応じてスレッドモータを駆動することで、光ピックアップ１の所要のスライド移動が行なわれる。
【００２７】
またサーボ回路１１は、ＳＡ補正ドライバ１４に対する球面収差補正値の設定を行うことが可能に構成される。すなわち、サーボ回路１１は、システムコントローラ１０からの指示に基づく球面収差補正値をＳＡ補正ドライバ１４に対して設定することができる。ＳＡ補正ドライバ１４は、設定された球面収差補正値に応じた駆動信号により光ピックアップ１内の球面収差補正機構を駆動する。
また、サーボ回路１１は、フォーカスバイアスの設定も可能に構成される。すなわち、システムコントローラ１０からの指示に基づくフォーカスバイアスを上述したフォーカスサーボループに対して加算することができる。
【００２８】
スピンドルサーボ回路１２はスピンドルモーター２をＣＬＶ回転させる制御を行う。
スピンドルサーボ回路１２は、データ信号処理回路５にて生成される再生クロックを現在のスピンドルモーター２の回転速度情報として得て、これを所定のＣＬＶ基準速度情報と比較することでスピンドルエラー信号を生成する。
なお、光ディスクＤが記録可能型ディスクである場合には、ウォブル信号に対するＰＬＬ処理で生成されるクロックを現在のスピンドルモーター２の回転速度情報として得ることができるので、これを所定のＣＬＶ基準速度情報と比較することでスピンドルエラー信号を生成することもできる。
そしてスピンドルサーボ回路１２は、スピンドルエラー信号に応じて生成したスピンドルドライブ信号を出力し、スピンドルドライバ１３によりスピンドルモーター２のＣＬＶ回転を実行させる。
またスピンドルサーボ回路１２は、システムコントローラ１０からのスピンドルキック／ブレーキ制御信号に応じてスピンドルドライブ信号を発生させ、スピンドルモーター２の起動、停止、加速、減速などの動作も実行させる。
【００２９】
以上のようなサーボ系及び再生系の各種動作はシステムコントローラ１０により制御される。このシステムコントローラ１０は、ＲＯＭ（Read Only Memory）、ＲＡＭ（Random Access Memory）や、ＥＥＰ−ＲＯＭ（Electrically Erasable and Programmable Read Only Memory）等の不揮発性メモリを備えたマイクロコンピュータで構成される。
【００３０】
システムコントローラ１０は、ホストインターフェース８を介して与えられるホスト機器１００からのコマンドに応じて各種処理を実行する。
例えばホスト機器１００から書込命令（ライトコマンド）が出されると、システムコントローラ１０は、まず書き込むべきアドレスにピックアップ１を移動させる。そして記録処理部１７により、ホスト機器１００から転送されてきたデータ（例えばビデオデータやオーディオデータ等）について上述したようにエンコード処理を実行させる。そして上記のようにエンコードされたデータに応じて第２レーザドライバ１９がレーザ発光駆動することで光ディスクＤに対する記録が実行される。
【００３１】
また、例えばホスト機器１００から光ディスクＤに記録されている或るデータの転送を求めるリードコマンドが供給された場合、システムコントローラ１０は、先ず指示されたアドレスを目的としてシーク動作制御を行う。即ちサーボ回路１１に指令を出し、シークコマンドにより指定されたアドレスをターゲットとするピックアップ１のアクセス動作を実行させる。
その後、その指示されたデータ区間のデータをホスト機器１００に転送するために必要な動作制御を行う。即ち光ディスクＤからのデータ読出を行い、データ信号処理回路５・再生処理部７における処理を実行させ、要求されたデータを転送する。
【００３２】
なお、この図１の例では、ホスト機器１００に接続される記録再生装置として説明したが、本発明の記録装置としては他の機器に接続されない形態もあり得る。その場合は、操作部や表示部が設けられたり、データ入出力のインターフェース部位の構成が、図１とは異なるものとなる。つまり、ユーザ操作に応じて記録（或いは記録や再生）が行われるとともに、各種データの入出力のための端子部が形成されればよい。
もちろん記録装置の構成例としては他にも多様に考えられ、例えば記録専用装置としての例もあり得る。
【００３３】
ここで、この図１に示したような光ディスクＤについて記録／再生を行う記録再生装置では、記録性能の向上とサーボ・再生性能の向上を図る上で、先にも述べたように光学系のカップリング効率について相反する条件をそれぞれ満たす必要がある。
つまり、例えばさらなる高速記録を可能とするなど記録性能の向上のためパワー効率を優先させるにあたっては、往路光学カップリング効率を上げることが望ましい。一方で、再生・サーボ側にとっては、カップリング効率を落として元パワーをかせいでおくのが望ましい。
【００３４】
先に述べたように、例えば従来の一般的な記録再生装置のように記録／サーボ（及び再生）を共通の１本のレーザを用いた光学系で行う場合は、記録／サーボ・再生性能の双方の向上のためにこれら相反する条件を満たす上で、シビアな光学設計を強いられ、その結果、光学系の簡素化や低コスト化を図ることが困難とされている。特に、本例の場合のようにＢＤ等の光学トレランス的に厳しい系とされる場合は、よりシビアな設計が強いられ、光学系の簡素化や低コスト化を図ることが非常に困難となってしまう。
【００３５】
そこで、本実施の形態では、光ピックアップ１内においてレーザを２つ設けるものとし、一方は光ディスクＤに対する記録用のみに用い、他方は記録及び再生時のサーボ用、及び再生時の信号読み出し用（再生用）として用いるものとしている。
【００３６】
図２は、図１に示した光ピックアップ１の内部構成を示している。
なお、この図２を始めとして以降で説明するピックアップ１の内部構成図としては、光学系のうち、第１レーザ光、第２レーザ光の光ディスクＤへの出射経路、及び光ディスクＤからの反射光経路を決定づける部分について主に示し、他の部分については省略しているものとする。
【００３７】
図２において、光ピックアップ１内には、第１レーザ部２１、第２レーザ部２２、ビームスプリッタＢＳ、偏光ビームスプリッタＰＢＳ、フロントモニタ２７、受光用光学レンズ２８、受光部２９が設けられる。
図示するようにして第１レーザ部２１には、レーザダイオード２３と偏光板２５とが設けられている。この第１レーザ部２１におけるレーザダイオード２３は、図１に示した第１レーザドライバ９により発光駆動される。
このレーザダイオード２３としては、レーザ波長としてＢＤに対応した４０５ｎｍが設定されている。また、このレーザダイオード２３は、再生パワーとして、記録に必要な記録パワーよりも低い所定パワーによるレーザ光を出力するように構成されている。
レーザダイオード２３により発光された再生パワーによるレーザ光（以下、第１レーザ光と呼ぶ）は、偏光板２５を介することでｐ偏光により第１レーザ部２１から出射される。図中では説明の便宜上、このようなｐ偏光による第１レーザ光を両矢印を付して示している。
【００３８】
第２レーザ部２２には、レーザダイオード２４と偏光板２６とが設けられている。第２レーザ部２２におけるレーザダイオード２４は、図１に示した第２レーザドライバ１９により駆動制御される。このレーザダイオード２４としては、上述した第１レーザ光と同一波長（この場合は４０５ｎｍ）のレーザ光を出力するように構成される。また、このレーザダイオード２４としては、記録パワーとして、所定以上のレーザパワーによるレーザ光を出力するように構成されている。
レーザダイオード２４によって発光された記録パワーによるレーザ光（以下、第２レーザ光と呼ぶ）は、偏光板２６を介することでｓ偏光により第２レーザ部２２から出射される。このようなｓ偏光による第２レーザ光については、図示するようにして丸矢印を付して示している。
このとき、第２レーザ光はｓ偏光ジャストの状態よりもやや回転させた状態で第２レーザ部２２から出力されるように構成しておく。これは、第２レーザ光の一部が、後述する偏光ビームスプリッタＰＢＳを透過してレーザパワーモニタ用のフロントモニタ２７側に導かれるようにするためである。
【００３９】
第１レーザ部２１より出射されたｐ偏光による第１レーザ光は、ビームスプリッタＢＳ→偏光ビームスプリッタＰＢＳを透過し、光ディスクＤへのレーザ光出力端となる対物レンズ側に導かれる。
一方、第２レーザ部２２より出射された略ｓ偏光による第２レーザ光は、その一部が偏光ビームスプリッタＰＢＳを透過してフロントモニタ２７側に導かれ、残りの成分は反射して上記第１レーザ光と共に上記対物レンズ側に導かれるようになっている。
【００４０】
このとき、偏光ビームスプリッタＰＢＳを反射して対物レンズ側に導かれる第２レーザ光の光軸は、同じく対物レンズ側に導かれる第１レーザ光の光軸と一致するようにして第２レーザ光及び第１レーザ光の偏光ビームスプリッタＰＢＳへの入射位置が調整されている。
この結果、互いに偏光方向が直交する関係となるようにされた第１レーザ光と第２レーザ光とが同一光軸上で混合されて対物レンズを介して光ディスクＤに照射されるようになっている。
【００４１】
光ディスクＤから得られる第１レーザ光の反射光は、ｐ偏光であることより往路と同様に偏光ビームスプリッタＰＢＳを透過する。そして、このように偏光ビームスプリッタＰＢＳを透過した第１レーザ光の反射光は、ビームスプリッタＢＳにて反射され、図示するようにして受光用光学レンズ２８を介して受光部２９に受光される。
【００４２】
一方、光ディスクＤからの第２レーザ光の反射光は、ｓ偏光であることより偏光ビームスプリッタＰＢＳにて反射される。すなわち、これにより第２レーザ光の反射光は受光部２９側には導かれないようになっており、上記第１レーザ光の反射光のみが受光部２９側に導かれることになる。
【００４３】
受光部２９はフォトディテクタで構成され、第１レーザ光の反射光の受光光量に応じた電気信号を図１に示したマトリクス回路４に供給する。
【００４４】
ここで、光ピックアップ１をこの図２に示す構成とした上で、本実施の形態の記録再生装置では、以下のような記録時／再生時の制御を行う。
先ず、記録時においては、図１に示したシステムコントローラ１０が、上述もしたように記録処理部１７によりホスト機器１００から転送されてきたデータについてエンコード処理を実行させ、これによってエンコードデータに応じて第２レーザドライバ１９により第２レーザ部２２におけるレーザダイオード２４を発光駆動させて光ディスクＤに対する記録を実行させる。
さらに、記録時の制御として、この場合のシステムコントローラ１０は、第１レーザドライバ９を制御して第１レーザ部２１のレーザダイオード２３を発光駆動させる。
このような制御により、記録時においては記録パワーによる第２レーザ光の照射によって光ディスクＤへの記録が行われると共に、再生パワーによる第１レーザ光の照射に応じて光ディスクＤから得られる反射光に基づき、フォーカスサーボ、トラッキングサーボの各サーボ動作が実行されることになる。
また、第１レーザ光と第２レーザ光とは波長が同一とされているので、この場合の記録動作には第１レーザ光も関与することになる。すなわち、この場合の記録動作は記録パワーによる第２レーザ光に対し第１レーザ光が足し込まれて行われるものとなっている。
【００４５】
一方、再生時においてシステムコントローラ１０は、第１レーザドライバ９に対する制御を行って第１レーザ部２１におけるレーザダイオード２３のみを発光駆動させる。すなわち、再生時においては再生パワーによる第１レーザ光のみを照射し、それに応じた光ディスクＤからの反射光に基づいて信号読み出し及びサーボ動作が実行されることになる。
【００４６】
このようにして本実施の形態では、記録時において、第１レーザ光と第２レーザ光とが足し込まれるようにして光ディスクＤにレーザ光照射を行って記録動作を行うものとしている。これによれば、第２レーザ光を記録用のメインのレーザ光とすることができ、第１レーザ光については、記録時にサブ的に照射するレーザ光として、パワーの追求を行わずに済むものとできる。パワー追求が必要でなければ、その分、サーボや再生に有利となるような割り切った光学設計とすることができ、第１レーザ光についての光学系の構成は簡素化することができる。
さらに、第２レーザ光の光学系についても、記録用のみとして割り切った光学設計とすることができるので、非常に簡素な構成とすることができる。具体的に言えば、第２レーザ光についての光学系は往路カップリング効率を最優先とした構成とすることができ、従来の１つのレーザを用いる場合のようなサーボ系（及び再生系）のレーザパワーの制約についての考慮を不要とした、より簡素な構成とすることができる。
【００４７】
これらのことから本実施の形態によれば、光ピックアップ１内の光学系の構成の簡素化を図ることができる。また、このような構成の簡素化に伴う低コスト化を図ることができる。
【００４８】
また、本実施の形態では、第１及び第２レーザ光の波長は同一となるようにされているので、双方のレーザ光とも記録に関与することになる。これによれば、一方のみが記録に関与するようにされた場合よりもさらにパワー的に有利にでき、１つのレーザが持つポテンシャル以上のパフォーマンス（例えば倍速記録など）で記録を行うことができる。
【００４９】
また、実施の形態では、第１レーザ光として、再生パワーによるレーザ光を照射するものとしている。これによれば、第１レーザ光の光学系についてはサーボ性能・再生性能の向上（例えばサーボ特性やジッター特性）に特化した構成とすることができる。これにより、第１レーザ光についての光学系の構成についてさらなる簡易化を図ることができ、また、それによるさらなる低コスト化を図ることができる。
【００５０】
また、このように第１レーザ光として再生パワーによるレーザ光を照射することによっては、サーボ動作は常に再生用受発光系（広めのレーザ放射角で成り立っている系）に基づき行われるようにすることができるので、光学的なバラツキに対して極めて安定とすることができ、また光学トレランス上も極めて安定とすることができる。
【００５１】
また、第１レーザ光として再生パワーによるレーザ光を照射することによっては、サーボ・再生のための反射光検出を行う受光部２９（フォトディテクタ）は再生専用のＩＣ設計でよいものとでき、このような受光部２９についてもその構成の簡素化及び低コスト化を図ることができる。
【００５２】
さらに、第１レーザ光として再生パワーによるレーザ光を照射するものとすれば、図２に示されるように、記録時専用のフロントモニタ２７を独立して設けることができる。つまり、このフロントモニタ２７としては記録時専用のＩＣ設計とすることができ、その結果、構成の簡素化及び低コスト化を図ることができる。
また、このように記録時専用の構成とすることができることで、パワーモニタ用として導くべき第２レーザ光の光量もその分少なくすることが可能となり、それによって第２レーザ光のパワー効率の向上を図ることもできる。
【００５３】
以下、実施の形態の変形例について説明しておく。
図３〜図７は、実施の形態の光ピックアップ１の各変形例について説明するための図である。
先ず、図３は、第１の変形例としての光ピックアップ１内の光学系の構成について示している。この第１の変形例は、図２の構成において備えられていた貼り合わせ型のビームスプリッタＢＳに代えて、斜め板Ｓによるビームスプリッタを設けるようにしたものである。
図示するようにしてこの第１の変形例の場合は、第１レーザ部２１から出射されるｐ偏光による第１レーザ光が、斜め板Ｓにて反射されて偏光ビームスプリッタＰＢＳ側に導かれるようになっている。この場合も偏光ビームスプリッタＰＢＳ側に導かれた第１レーザ光は、当該偏光ビームスプリッタＰＢＳを透過して対物レンズ側に導かれるようになっている。そして、光ディスクＤからの第１レーザ光の反射光は、偏光ビームスプリッタＰＢＳを透過した後、図示するようにして斜め板Ｓを透過して受光部２９側に導かれる。
このような構成によっても、第１レーザ光と第２レーザ光とが同一光軸上で足し込まれて光ディスクＤに照射され、且つ第１レーザ光の反射光のみが受光部２９側に導かれるようにすることができる。
【００５４】
図４は、第２の変形例の光ピックアップ１の内部構成を示している。
第２の変形例は、第１レーザ光の受発光系を集積デバイスにより構成し、構成の簡素化を図ったものである。
この場合、第１レーザ光の受発光系として、レーザダイオード２３と受光部２９とＨＯＥ（Holographic Optical Element）３１とを一体的に形成した集積デバイス３０を設ける。
ＨＯＥ３１は、第１レーザ光について、先の偏光ビームスプリッタＢＳと同様の往路／復路の分配機能を有する。また、ＨＯＥ３１は、受光部２９に導かれるべき第１レーザ光の反射光に非点収差を生じさせ、サーボのための誤差信号検出が可能となるように構成されている。
【００５５】
図５は、図４に示される集積デバイス３０の矢印Ｘ方向の矢示断面図（図５（ａ））と、斜視図（図５（ｂ））を示している。なお、図５（ｂ）の斜視図では図示の都合上、集積デバイス３０内のレーザダイオード２３、受光部２９、立ち上げミラー３２を透過させて示している。
この図５に示されるようにして、集積デバイス３０においては、受光部２９上に立ち上げミラー３２、レーザダイオード２３が集積され、さらにその上部にＨＯＥ３１が設けられる。レーザダイオード２３から出射されたレーザ光は立ち上げミラー３２で反射され、ＨＯＥ３１を透過してｐ偏光による第１レーザ光として偏光ビームスプリッタＰＢＳに入射するようにされる。
一方、光ディスクＤからの第１レーザ光の反射光は、偏光ビームスプリッタＰＢＳを透過した後、ＨＯＥ３１を透過して受光部２９に導かれる。
【００５６】
この第２の変形例によっても第１レーザ光と第２レーザ光とが同一光軸上で足し込まれて光ディスクＤに照射され、且つ第１レーザ光の反射光のみが受光部２９側に導かれるようにすることができる。
【００５７】
図６は、第３の変形例としての光ピックアップ１内の構成を示している。
第３の変形例は、第２の変形例で用いた集積デバイス３０に対し、さらに偏光ビームスプリッタＰＢＳを一体的に構成したものである。
【００５８】
また、図７は、第４の変形例としての光ピックアップ１内の構成を示している。
第４の変形例は、第３の変形例のように集積デバイス３０と一体的に構成された偏光ビームスプリッタＰＢＳに対し、さらにフロントモニタ２７も一体的に構成したものである。
【００５９】
このようにして第１レーザ光の受発光系は、記録パワー向上についての考慮が不要となることで非常に簡易な構成で実現することができる。
【００６０】
なお、本発明としてはこれまでに説明した具体例に限定されるべきものではない。
例えば、これまでの説明では、本発明がＢＤに対応して記録再生を行う場合に適用される場合を例示したが、ＣＤ（Compact Disc）、ＤＶＤ（Digital Versatile Disc）など他の光ディスクに対応する場合にも本発明は好適に適用することができる。
また、ディスク状以外の光記録媒体に対応する場合にも好適に適用できる。
【００６１】
また、これまでの説明では、本発明が光記録媒体についての記録と再生の双方が可能な記録再生装置に適用される場合を例示したが、本発明としては記録のみが可能とされる記録専用装置に対しても適用することができる。
【００６２】
また、これまでの説明では、第１レーザ光として、再生パワーによるレーザ光を照射するものとしたが、第１レーザ光として出力するレーザ光としては必ずしも再生パワーに限定されるべきものではない。
先にも述べたように、再生パワーを出力するものとすれば、第１レーザの受発光系の構成は非常に簡素なものとできるが、例えば従来の１倍速記録程度が可能な記録パワーによるレーザ光を照射する記録／再生光学系を第１レーザ光の受発光系として適用するなどしても、従来と比較すれば光学設計のシビアさは緩和される傾向となるので、その分、第１レーザ光の受発光系の構成は簡素化できることになる。
ここで確認のために述べておくと、このように第１レーザ光も記録パワーによるレーザ光を照射する場合には、第１レーザ光としても記録データに応じてON/OFFされるように構成する必要がある。具体的に言うと、この場合の記録時においては、例えば図１に示した第１レーザドライバ９に対してもライトストラテジ回路１８からのパルスを入力するように構成しておき、レーザダイオード２３も記録データに応じたパターンで発光されるようにする。このようにすることで、光ディスクＤに対し適正に記録データに応じた信号を記録することができる。
なお、この場合において、再生も可能な記録再生装置とする場合には、第１レーザ光の光源（レーザダイオード２３）として記録パワー／再生パワーの切換出力が可能となるように構成しておき、記録時には記録パワー、再生時には再生パワーによる第１レーザ光が出力されるように切換制御を行うように構成すればよい。
【００６３】
また、これまでの説明では、第１レーザ光と第２レーザ光の波長が同一であるものとして説明したが、第１レーザ光と第２レーザ光の波長は略同一とみなせる範囲内であれば異なるものであってもよい。例えば、ＢＤであればＢＤの規格上で定められるレーザ波長の条件を満たすなど、略同一の波長とみなせる範囲内に収まるものとされていればそれぞれの波長は異なるものであってもよい。このようにして波長が略同一とされる範囲内に収まっていることで、例えばそれぞれの波長が倍以上異なるなど大幅な波長差がある場合のように、一方のレーザ光が記録に関与しないといったことはなくなり、その分、記録パワー的に有利とすることができる。
【図面の簡単な説明】
【００６４】
【図１】本発明の実施の形態としての記録装置の内部構成について示したブロック図である。
【図２】実施の形態の光ピックアップ装置の内部構成について示した図である。
【図３】第１の変形例としての光ピックアップ装置の内部構成について示した図である。
【図４】第２の変形例としての光ピックアップ装置の内部構成について示した図である。
【図５】第２の変形例の光ピックアップ装置が備える集積デバイスの構成について説明するための図である。
【図６】第３の変形例としての光ピックアップ装置の内部構成について示した図である。
【図７】第４の変形例としての光ピックアップ装置の内部構成について示した図である。
【符号の説明】
【００６５】
１  光ピックアップ、２  スピンドルモーター、３  スレッド機構、４  マトリクス回路、５  データ信号処理回路、６  ウォブル信号処理回路、７  再生処理部、８  ホストインタフェース、９  第１レーザードライバ、１０  システムコントローラ、１１  サーボ回路、１２  スピンドルサーボ回路、１３  スレッドドライバ、１４  ２軸ドライバ、１５  ＳＡ補正ドライバ、１６  スピンドルドライバ、１７  記録処理部、１８  ライトストラテジ回路、１９  第２レーザドライバ、２１  第１レーザ部、２２  第２レーザ部、２３,２４  レーザダイオード、２５,２６  偏光板、２７  フロントモニタ、２８  受光用光学レンズ、２９  受光部、ＰＢＳ  偏光ビームスプリッタ、ＢＳ  ビームスプリッタ、１００  ホスト機器、Ｄ  光ディスク
【図１】
2008204550.tif 000003
【図２】
2008204550.tif 000004
【図３】
2008204550.tif 000005
【図４】
2008204550.tif 000006
【図５】
2008204550.tif 000007
【図６】
2008204550.tif 000008
【図７】
2008204550.tif 000009